(57)【要約】【課題】表示部のみの交換などといったメンテナンスを容易に行うことを可能にする。【解決手段】実施形態による産業用コンピュータは、筐体と、表示部と、制御部と、を備える。表示部は、筐体に対して取り外し可能に取り付けられる。制御部は、少なくとも一部が筐体に収容される部品の稼働状態を含む複数種類の第１情報を取得し、当該第１情報に基づく文字または画像を表示部に表示する。【選択図】図１
2018146932.tif 000002
【特許請求の範囲】
【請求項１】
筐体と、
前記筐体に対して取り外し可能に取り付けられる表示部と、
少なくとも一部が前記筐体に収容される部品の稼働状態を含む複数種類の第１情報を取得し、当該第１情報に基づく文字または画像を前記表示部に表示する制御部と、
を備える、産業用コンピュータ。
【請求項２】
前記筐体の設置姿勢を検出するセンサをさらに備え、
前記制御部は、前記文字または前記画像を、前記設置姿勢に応じた表示方向で前記表示部に表示する、
請求項１に記載の産業用コンピュータ。
【請求項３】
前記筐体から取り外された状態の前記表示部と前記産業用コンピュータとを接続可能に構成され、前記産業用コンピュータを収容する外部装置から前記表示部を露出させるためのケーブルをさらに備える、
請求項１または２に記載の産業用コンピュータ。
【請求項４】
前記表示部に表示させる前記文字または前記画像を選択および設定するためのユーザの操作を受け付ける操作部をさらに備える、
請求項１〜３のいずれか１項に記載の産業用コンピュータ。
【請求項５】
前記制御部は、前記第１情報の内容に応じて、前記文字または前記画像の表示態様を異ならせる、
請求項１〜４のいずれか１項に記載の産業用コンピュータ。
【請求項６】
前記画像は、２次元コードを含む、
請求項１〜５のいずれか１項に記載の産業用コンピュータ。
【発明の詳細な説明】
【技術分野】
【０００１】
本発明の実施形態は、産業用コンピュータに関する。
【背景技術】
【０００２】
従来、筐体と表示部とが一体的に設けられた、コンピュータの周辺機器が知られている。
【先行技術文献】
【特許文献】
【０００３】
【特許文献１】特開平１１−３３８４１０号公報
【発明の概要】
【発明が解決しようとする課題】
【０００４】
上述したコンピュータの周辺機器と同様、従来では、産業用コンピュータも、筐体と表示部とが一体的に設けられた構成が適用されることが一般的であった。
【０００５】
ところで、一般に、産業用コンピュータは、長期使用を前提としているため、産業用コンピュータの本体部分は、比較的長寿命である。しかしながら、表示部は、必ずしも長期使用を前提としていないデバイスであるので、表示部の寿命は、本体部分よりも早く切れることが多い。
【０００６】
しかしながら、従来の産業用コンピュータでは、上述したように、筐体と表示部とが一体的に設けられることが一般的であった。したがって、表示部の寿命が産業用コンピュータの本体部分よりも先に切れた場合、表示部のみの交換などといったメンテナンスが困難であった。
【課題を解決するための手段】
【０００７】
実施形態による産業用コンピュータは、筐体と、表示部と、制御部と、を備える。表示部は、筐体に対して取り外し可能に取り付けられる。制御部は、少なくとも一部が筐体に収容される部品の稼働状態を含む複数種類の第１情報を取得し、当該第１情報に基づく文字または画像を表示部に表示する。
【図面の簡単な説明】
【０００８】
【図１】図１は、実施形態による産業用コンピュータの模式的かつ例示的な正面図である。
【図２】図２は、実施形態による産業用コンピュータの模式的かつ例示的な平面図である。
【図３】図３は、実施形態による産業用コンピュータが外部装置に収容された状態を示した例示的な図である。
【図４】図４は、実施形態による産業用コンピュータの制御部の機能的構成を示した例示的なブロック図である。
【図５】図５は、実施形態による産業用コンピュータが横置きされている場合にディスプレイに表示される文字を示した例示的な図である。
【図６】図６は、実施形態による産業用コンピュータが縦置きされている場合にディスプレイに表示される文字を示した例示的な図である。
【図７】図７は、実施形態による産業用コンピュータの制御部により実行される、ディスプレイに表示する文字または画像の表示方向を筐体の設置姿勢に応じて変える処理を示した例示的なフローチャートである。
【発明を実施するための形態】
【０００９】
以下、実施形態を図面に基づいて説明する。以下に記載する実施形態の構成、ならびに当該構成によってもたらされる作用および結果（効果）は、あくまで一例であって、以下の記載内容に限られるものではない。
【００１０】
まず、実施形態の構成について説明する。
【００１１】
図１は、実施形態による産業用コンピュータ１の模式的かつ例示的な正面図であり、図２は、実施形態による産業用コンピュータ１の模式的かつ例示的な平面図である。産業用コンピュータ１は、たとえばサーバ装置などとして用いられる。
【００１２】
図１および図２に示されるように、産業用コンピュータ１は、扁平な直方体状の筐体２を備えている。すなわち、筐体２は、扁平な直方体を構成する６つの壁部２ａ〜２ｆを有している。なお、図１および図２は、産業用コンピュータ１が横置きされた状態、つまり正面から見て長方形の筐体２の長辺に対応した部分が設置面に接した状態を示している。
【００１３】
壁部２ａおよび２ｂは、筐体２の厚さ方向（ｚ方向）と交差（直交）する方向に沿って広がっており、互いに略平行に設けられている。また、壁部２ｃ〜２ｆは、壁部２ａおよび２ｂと交差（直交）するように、壁部２ａおよび２ｂの間に渡って設けられている。より具体的に、壁部２ｃおよび２ｄは、筐体２の左右方向（ｘ方向）に対向するように設けられ、壁部２ｅおよび２ｆは、筐体２の前後方向（ｙ方向）に対向するように設けられる。なお、図１および図２に示された状態で、壁部２ａは上面部（天面部）とも称され、壁部２ｂは下面部（底面部）とも称され、壁部２ｃ〜２ｆは側面部（周面部）とも称されうる。
【００１４】
また、図２に示されるように、筐体２内には、制御部１００が収容されている。この制御部１００は、基板１０１と、当該基板１０１に設けられた複数の部品１０２と、を含む基板アセンブリとして構成されている。部品１０２は、たとえば、プロセッサなどといった電子部品や、当該電子部品の各種の状態（たとえば温度）などを検出する部品状態センサなどである。なお、筐体２には、部品状態センサ以外の他のセンサ（たとえば筐体２の設置姿勢を検出する加速度センサ）も設けられうる。以下では、これらのセンサを総称してセンサ群１５０（図４参照）と記載する場合がある。
【００１５】
また、図１および図２に示されるように、筐体２の正面に位置する壁部２ｅには、タッチパネル５１を備えたディスプレイ５０が取り付けられている。このディスプレイ５０は、産業用コンピュータ１を構成する各種の部品（たとえば筐体２に収容された部品１０２）の稼働状態を含む複数種類の情報（以下、第１情報とする）に基づく文字または画像を表示可能に構成されている。
【００１６】
第１情報には、上述した各種の部品の稼働状態の他、当該各種の部品の推定寿命や、当該推定寿命に基づいて決定される交換推奨部品の情報、部品の交換を含む保守作業の手順、ＢＩＯＳなどが行う様々な処理のエラーの有無、産業用コンピュータ１にインストールされた各種のプログラムの稼働状態（たとえば正常に動作しているか否か）、産業用コンピュータ１の出荷日などを表す出荷情報、上述した部品状態センサにより検出された情報（たとえば筐体２内の温度）などといった様々な情報が含まれる。したがって、実施形態では、ディスプレイ５０として、単純な文字のみを表示可能なＬＥＤディスプレイ（インジケータ）ではなく、様々な文字または画像を様々な態様で表示可能な、たとえばフルドットマトリクスＬＣＤが用いられる。
【００１７】
なお、図１および図２には、壁部２ｅの隅にディスプレイ５０が取り付けられた例が示されているが、実施形態では、ディスプレイ５０の取り付け位置は、壁部２ｅの隅でなくてもよい。ただし、ディスプレイ５０の取り付け位置が筐体２の正面に位置する壁部２ｅの隅であれば、ディスプレイ５０の視認性を向上させることができる。
【００１８】
ところで、一般に、産業用コンピュータ１は、長期使用を前提としているため、産業用コンピュータ１の本体部分は、比較的長寿命である。しかしながら、ディスプレイ５０は、必ずしも長期使用を前提としていないデバイスであるので、ディスプレイ５０の寿命は、本体部分よりも早く切れることが多い。
【００１９】
しかしながら、従来の産業用コンピュータでは、稼働情報などを表示するためのディスプレイが筐体と一体的に設けられることが一般的であった。したがって、従来の産業用コンピュータでは、ディスプレイの寿命が産業用コンピュータの本体部分よりも先に切れた場合、ディスプレイのみの交換などといったメンテナンスが困難であった。
【００２０】
そこで、実施形態によるディスプレイ５０は、筐体２に対して取り外し可能に取り付けられている。これにより、ディスプレイ５０の寿命が産業用コンピュータ１の本体部分よりも先に切れた場合でも、ディスプレイ５０のみの交換を容易に行うことができる。なお、図１および図２の例では、ディスプレイ５０が筐体２の正面に位置する壁部２ｅの隅に位置しているため、ディスプレイ５０の取り付け／取り外しの作業性が高められている。しかしながら、上述したように、実施形態では、ディスプレイ５０の取り付け位置は、壁部２ｅの隅でなくてもよい。
【００２１】
また、実施形態では、ディスプレイ５０が着脱可能になっていることによって、次のようなメリットも得られる。
【００２２】
図３は、実施形態による産業用コンピュータ１が外部装置６００に収容された状態を示した例示的な図である。図３に示されるように、産業用コンピュータ１は、産業用コンピュータ１よりも大きい外部装置６００に収容された（組み込まれた）状態で使用される場合がある。
【００２３】
このような使用状況では、ディスプレイ５０と産業用コンピュータ１とが従来のように一体化されていると、産業用コンピュータ１の外からディスプレイ５０を視認することが不可能である。しかしながら、実施形態では、上述したように、ディスプレイ５０と産業用コンピュータ１（筐体２）とが分離可能になっている。
【００２４】
したがって、実施形態では、図３に示されるように、ディスプレイ５０を産業用コンピュータ１から取り外して外部装置６００から露出させ、ディスプレイ５０と産業用コンピュータ１とを、外部装置６００の内部でケーブル２００を介して接続することが可能である。これにより、実施形態では、産業用コンピュータ１が外部装置６００に組み込まれた状態でも、外部装置６００から露出したディスプレイ５０を見ることで、第１情報を容易に確認することができる。
【００２５】
次に、実施形態による制御部１００の機能についてより具体的に説明する。
【００２６】
図４は、実施形態による産業用コンピュータ１の制御部１００の機能的構成を示した例示的なブロック図である。図４に示されるように、制御部１００は、機能的構成として、操作入力受付部１００ａと、センサ情報取得部１００ｂと、表示情報生成部１００ｃと、姿勢判定部１００ｄと、表示制御部１００ｅと、を備える。これらの機能的構成は、たとえば、制御部１００のプロセッサがメモリなどの記憶装置（不図示）に格納されたソフトウェア（プログラム）を実行した結果として実現される。なお、実施形態では、これらの機能的構成の一部または全部が専用のハードウェア（回路）によって実現されてもよい。
【００２７】
操作入力受付部１００ａは、タッチパネル５１を介したユーザの操作を受け付ける。このような操作は、たとえばディスプレイ５０に表示させる文字または画像を選択および設定することを目的として行われる。なお、操作入力受付部１００ａは、産業用コンピュータ１に設けられるボタンスイッチやロータリースイッチ（いずれも不図示）などといった、タッチパネル５１以外の操作部を介したユーザの操作を受け付けてもよい。
【００２８】
センサ情報取得部１００ｂは、センサ群１５０により検出された情報を取得する。センサ情報取得部１００ｂが取得する情報には、部品状態センサにより検出される筐体２内の各種の部品の状態（温度など）などといった上述した第１情報の一部や、加速度センサにより検出される筐体２の設置姿勢などが含まれる。なお、筐体２の設置姿勢とは、たとえば、横置きの状態（図１および図２の状態）か否かである。
【００２９】
表示情報生成部１００ｃは、センサ情報取得部１００ｂが取得した情報などに基づいて、ディスプレイ５０に表示すべき情報を生成する。ディスプレイ５０に表示すべき情報とは、上述した第１情報に基づく文字または画像である。ここで、単純な情報は、文字だけで表示することも可能であるが、たとえば筐体２内の温度の時間変化などといった情報は、文字だけでは表示しにくい。したがって、実施形態は、後者の情報をＱＲコード（登録商標）などといった２次元コードに変換し、当該２次元コードを画像としてディスプレイ５０に表示する。これにより、ユーザは、２次元コードを読み取り可能な端末装置などを使用して、当該２次元コードに含まれる情報を容易に読み取ることができる。
【００３０】
表示制御部１００ｅは、ディスプレイ５０の表示内容を制御する。より具体的に、表示制御部１００ｅは、表示情報生成部１００ｃが生成した文字または画像を、操作入力受付部１００ａが受け付けたユーザの操作などに応じて、ディスプレイ５０に出力する。
【００３１】
ところで、産業用コンピュータ１は、図１および図２に示されるような横置きの状態で使用される場合もあれば、横置きの状態から９０度回転された縦置きの状態で使用される場合もある。この場合、ディスプレイ５０に表示される文字または画像を、筐体２の設置姿勢に応じた表示方向で表示することができれば、便利である。
【００３２】
そこで、実施形態による、姿勢判定部１００ｄは、センサ情報取得部１００ｂが取得した情報のうち、加速度センサにより検出された情報に基づいて、筐体２が横置きの状態か縦置きの状態かを判定する。そして、表示制御部１００ｅは、姿勢判定部１００ｄの判定結果に基づいて、筐体２の設置姿勢に応じて表示方向で、表示情報生成部１００ｃが生成した文字（または向きのある画像）をディスプレイ５０に表示する。
【００３３】
図５は、実施形態による産業用コンピュータ１が横置きされている場合にディスプレイ５０に表示される文字を示した例示的な図であり、図６は、実施形態による産業用コンピュータ１が縦置きされている場合にディスプレイ５０に表示される文字を示した例示的な図である。図５および図６の例では、産業用コンピュータ１が横置きされているか縦置きされているかに応じて、ディスプレイ５０の「正常」という文字の表示方向が変わっている。これにより、筐体２の設置姿勢に応じて顔を傾けたりしなくても、ディスプレイ５０に表示された文字（または向きのある画像）を容易に視認することができる。
【００３４】
さらに、実施形態では、表示制御部１００ｅは、第１情報の内容に応じて、ディスプレイ５０に表示する文字または画像の表示態様を異ならせてもよい。たとえば、第１情報が何らかのエラーを表す情報である場合、表示制御部１００ｅは、当該エラーを表す情報が他の情報よりも視認されやすくなるように、背景色をユーザの注意を惹きやすい色に設定した上で、エラーを表す情報に基づく文字または画像をディスプレイ５０に表示する。これにより、第１情報に基づく文字または画像を、当該第１情報の重要度などに応じて適切な表示態様でディスプレイ５０に表示することができる。
【００３５】
以下、実施形態において実行される処理について説明する。
【００３６】
図７は、実施形態による産業用コンピュータ１の制御部１００により実行される、ディスプレイ５０に表示する文字または画像の表示方向を筐体２の設置姿勢に応じて変える処理を示した例示的なフローチャートである。
【００３７】
図７に示されるように、制御部１００のセンサ情報取得部１００ｂは、まず、Ｓ１において、センサ群１５０により検出された情報を取得する。上述したように、Ｓ１で取得される情報には、部品状態センサにより検出される筐体２内の各種の部品の状態（温度など）や、加速度センサにより検出される筐体２の設置姿勢などが含まれる。
【００３８】
そして、Ｓ２において、表示情報生成部１００ｃは、Ｓ１で取得された情報などに基づいて、ディスプレイ５０に表示すべき文字または画像を生成する。上述したように、このＳ２で生成されうる画像は、２次元コードを含む。
【００３９】
そして、Ｓ３において、姿勢判定部１００ｄは、産業用コンピュータ１（筐体２）の設置姿勢を判定する。より具体的に、姿勢判定部１００ｄは、産業用コンピュータ１が横置きの状態か縦置きの状態かを判定する。
【００４０】
そして、Ｓ４において、表示制御部１００ｅは、Ｓ２で生成された文字または画像を、Ｓ３で判定された設置姿勢に応じた表示方向でディスプレイ５０に表示する。そして、処理が終了する。
【００４１】
以上説明したように、実施形態による産業用コンピュータ１では、筐体２に収容される部品１０２の稼働状態を含む複数種類の第１情報に基づく文字または画像を表示するディスプレイ５０が脱着可能になっている。つまり、ディスプレイ５０は、産業用コンピュータ１の筐体２に対して取り外し可能に取り付けられている。これにより、ディスプレイ５０の寿命が産業用コンピュータ１の本体部分よりも先に切れた場合に、ディスプレイ５０のみの交換などといったメンテナンスを容易に行うことができる。
【００４２】
また、実施形態による産業用コンピュータ１は、筐体２の設置姿勢を検出する加速度センサ（センサ群１５０に含まれる）を備えており、制御部１００は、第１情報に基づく文字または画像を、筐体２の設置姿勢に応じた表示方向で、ディスプレイ５０に表示する。これにより、筐体２の設置姿勢に応じて顔を傾けたりしなくても、ディスプレイ５０に表示された文字（または向きのある画像）を容易に視認することができる。
【００４３】
また、実施形態による産業用コンピュータ１は、筐体２から取り外された状態のディスプレイ５０と産業用コンピュータ１とを接続可能に構成され、産業用コンピュータ１を収容する外部装置６００からディスプレイ５０を露出させるためのケーブル２００を備えている。これにより、産業用コンピュータ１が外部装置６００に組み込まれた状態でも、外部装置６００から露出したディスプレイ５０を見ることで、当該ディスプレイ５０に表示される文字または画像を容易に確認することができる。
【００４４】
また、実施形態による産業用コンピュータ１は、ディスプレイ５０に表示させる文字または画像を選択および設定するためのユーザの操作を受け付けるタッチパネル５１を備えている。これにより、タッチパネル５１を操作するだけで、所望の種類の第１情報をディスプレイ５０に表示させることができる。
【００４５】
また、実施形態による制御部１００は、第１情報に基づく文字または画像をディスプレイ５０に表示する場合、当該第１情報の内容に応じて、文字または画像の表示態様を異ならせる。これにより、第１情報に基づく文字または画像を、当該第１情報の重要度などに応じて適切な表示態様でディスプレイ５０に表示することができる。
【００４６】
また、実施形態では、ディスプレイ５０に表示されうる画像が、２次元コードを含んでいる。これにより、２次元コードを用いて、単純な文字または画像よりも情報量がより多い情報を、ディスプレイ５０に表示することができる。
【００４７】
以上、本発明の実施形態について説明したが、上述した実施形態はあくまで一例であって、発明の範囲を限定することは意図していない。上述した新規な実施形態は、様々な形態で実施されることが可能であり、発明の要旨を逸脱しない範囲で、種々の省略、置き換え、変更を行うことができる。上述した実施形態およびその変形は、発明の範囲や要旨に含まれるとともに、特許請求の範囲に記載された発明とその均等の範囲に含まれる。
【符号の説明】
【００４８】
１  産業用コンピュータ
２  筐体
５０  ディスプレイ（表示部）
５１  タッチパネル（操作部）
１００  制御部
２００  ケーブル
【図１】
2018146932.tif 000003
【図２】
2018146932.tif 000004
【図３】
2018146932.tif 000005
【図４】
2018146932.tif 000006
【図５】
2018146932.tif 000007
【図６】
2018146932.tif 000008
【図７】
2018146932.tif 000009